(57)【要約】      （修正有）【課題】壁面への吸着固定収納も自在な磁気防止傘袋を提供する。【解決手段】磁気を通さない素材の傘袋Ａ２９の側面の一部に磁気を漏らさない状態で閉じておける磁石部Ａ２８を備えた開閉式の吸着部を設ける磁石により吸着自在な素材でできた壁面などに前記傘袋の吸着部に備えた磁石部を吸着することで壁面収納が自在になる吸着固定が自在な磁気防止傘袋。【選択図】図２
2019208647.tif 000002
【特許請求の範囲】
【請求項１】
傘袋の一部に磁気を通さない素材を設けたことを特徴とする磁気防止傘袋
【請求項２】
磁気を通さない素材で傘袋を設けたことを特徴とする磁気防止傘袋
【請求項３】
請求項１及び請求項２に記載のいずれかの傘袋において磁力の力で吸着固定が
自在な磁石部を前記磁気防止傘袋の一部に設けたことを特徴とする磁気防止傘袋
【請求項４】
請求項３に記載の傘袋において前記磁石部を前記
傘袋に収納自在に設けたことを特徴とする磁気防止傘袋
【請求項５】
請求項１から請求項４に記載のいずれかの傘袋においてさらに
傘袋の一部に吸着固定が自在な吸盤を設けたことを特徴とする磁気防止傘袋
【請求項６】
請求項１から請求項５に記載のいずれかの傘袋において
さらに傘袋の一部に吸着固定が自在な面ファスナーを
設けたことを特徴とする磁気防止傘袋
【請求項７】
請求項１から請求項６に記載のいずれかの傘袋において
さらに外面を防水の素材で設けたことを特徴とする磁気防止傘袋
【請求項８】
請求項１から請求項７に記載のいずれかの傘袋において
さらに内側を吸水と脱水が容易な素材で設けたことを特徴とする磁気防止傘袋
【請求項９】
請求項１から請求項８に記載のいずれかの傘袋においてさらに内側の素材の
含水率が色により判断できる素材で設けたことを特徴とする磁気防止傘袋
【請求項１０】
請求項１から請求項９に記載のいずれかの傘袋においてさらに内側の素材の含水率が
模様により判断できる素材で設けたことを特徴とする磁気防止傘袋
【請求項１１】
請求項１から請求項１０に記載のいずれかの傘袋において傘ケースとすることを
特徴とする磁気防止傘ケース
【請求項１２】
請求項１から請求項１１に記載のいずれかの
傘袋と傘ケースにおいて雨具の収納具とすることを特徴とする磁気防止雨具収納具
【請求項１３】
請求項１から請求項１２に記載のいずれかの
傘袋又は傘ケース又は雨具収納具の内側の給水素材を前記本体から
脱着自在に設けたことを特徴とする磁気防止雨具収納部
【発明の詳細な説明】
【技術分野】
【０００１】
本発明は、磁力の力により壁面などに吸着固定が自在な磁石部を備え、さらに
磁気を通さない素材でできた傘袋に関するものであり、磁力の力で吸着固定が自在な
傘袋を鞄に入れて収納する場合に磁気製品と一緒に、鞄の中に収納できるように
した傘袋である。
【発明の開示】
【発明が解決しようとする課題】
【０００２】
従来のような傘袋ではフックなどがない場所では壁面に収納することができなかった
また、傘袋に磁石などの磁力があるものを備えていた場合、磁気製品の近くに磁石を近づけることで磁気不良をおこしてしまうことがあり磁力を備えた傘袋だと一緒に鞄の中に入れられないという不都合を解決することを課題とする
【課題を解決するための手段】
【０００３】
請求項１に記載の発明は
傘袋の一部に磁気を通さない素材を設けたことを特徴とする磁気防止傘袋
であるこれにより磁気製品の近くに磁石を備えた傘や傘袋を近づけても、磁気を
通さない素材により、磁気不良を防止することができる。
【０００４】
請求項２に記載の発明は
磁気を通さない素材で傘袋を設けたことを特徴とする磁気防止傘袋である
これにより磁気製品の近くに磁石を備えた傘や傘袋を近づけても、磁気を通さない素材により、磁気不良を防止
することができる。
【０００５】
請求項３に記載の発明は
請求項１及び請求項２に記載のいずれかの傘袋において
磁力の力で吸着固定が自在な磁石部を前記磁気防止傘袋
の一部に設けたことを特徴とする磁気防止傘袋である
これにより磁気製品の近くに磁石を備えた傘袋を近づけても、磁気を通さない素材に
より、磁気不良を防止することができる。
また磁力により吸着が可能な素材でできた壁面に傘袋に備えた磁石部の吸着力により
吸着固定することで壁面に収納することができる。
【０００６】
請求項４に記載の発明は
請求項３に記載の傘袋において前記磁石部を前記
傘袋に収納自在に設けたことを特徴とする磁気防止傘袋である
これにより磁気製品の近くに磁石を備えた傘袋を近づけても、磁気を通さない素材の
中に磁石部を収納することにより、磁気不良を防止することができる。
【０００７】
請求項５に記載の発明は
請求項１から請求項４に記載のいずれかの傘袋においてさらに
傘袋の一部に吸着固定が自在な吸盤を設けたことを特徴とする磁気防止傘袋である
これにより平らな壁面に傘袋に備えた吸盤の吸着力により吸着固定することで
壁面に収納することができる。
【０００８】
請求項６に記載の発明は
請求項１から請求項５に記載のいずれかの傘袋においてさらに
傘袋の一部に吸着固定が自在な面ファスナーを設けたことを特徴とする磁気防止傘袋
である
これにより面ファスナー素材でできた壁面に傘袋に備えた面ファスナーを
吸着することで壁面に固定して収納することができる。
【０００９】
請求項７に記載の発明は
請求項１から請求項６に記載のいずれかの傘袋において
さらに外面を防水の素材で設けたことを特徴とする磁気防止傘袋である
これにより手を濡らすことなく傘袋中に溜まった雨水を脱水することができる。
【００１０】
請求項８に記載の発明は
請求項１から請求項７に記載のいずれかの傘袋において
さらに内側を吸水と脱水が容易な素材で設けたことを特徴とする磁気防止傘袋である
これにより手を濡らすことなく傘袋中に溜まった雨水を脱水することができる。
【００１１】
請求項９に記載の発明は
請求項１から請求項８に記載のいずれかの傘袋において
さらに内側の素材の含水率が色により判断できる素材で設けたことを特徴とする
磁気防止傘袋である
これにより傘の内部の素材の雨水の含水率を把握することができる。
【００１２】
請求項１０に記載の発明は
請求項１から請求項９に記載のいずれかの傘袋において
さらに内側の素材の含水率が模様により判断できる素材で設けたことを特徴とする
磁気防止傘袋である
これにより傘の内部の素材の雨水の含水率を把握することができる。
【００１３】
請求項１１に記載の発明は
請求項１から請求項１０に記載のいずれかの傘袋において傘ケースとすることを
特徴とする磁気防止傘ケースである
これにより磁気製品の近くに磁石を備えた傘や傘袋を近づけても、磁気を通さない
素材により、磁気不良を防止することができる。
【００１４】
請求項１２に記載の発明は
請求項１から請求項１１に記載のいずれかの
傘袋と傘ケースにおいて雨具の収納具とすることを特徴とする磁気防止雨具収納具である
これにより磁気製品の近くに磁石を備えた傘や傘袋を近づけても、磁気を通さない素材により、磁気不良を防止することができる。
【００１５】
請求項１３に記載の発明は
請求項１から請求項１２に記載のいずれかの
傘袋又は傘ケース又は雨具収納具の内側の吸水素材を
前記本体から脱着自在に設けたことを特徴とする磁気防止雨具収納部である
これにより内側の吸水素材を取り外して乾かすことができる。
【発明の効果】
【００１６】
本発明により、磁力により吸着が自在な素材でできた壁面に収納しようとした場合に
傘袋に設けた磁石部を壁面に吸着することで傘を収納した前記傘袋を壁面に固定して
収納することができる、また
磁力を通さない素材で傘袋を設けたことにより
傘袋に設けた磁石部を傘袋内に収納することで、
磁気製品と一緒に鞄の中に入れることができる。
【発明を実施するための形態】
【００１７】
以下、本発明の実施の形態を説明する
[実施形態１］
本発明の壁面への吸着固定収納も自在な磁気防止傘袋（A１１）の構成は
磁気防止傘袋（A３０）の内側に付け外し自在な含水率がわかる吸水素材（A３１）を設け、さらに磁気防止傘袋（A２９）側面の一部に面ファスナー（A１３）を設け、前記面ファスナー（A１３）と係合し吸着自在な面ファスナー（A３２）と磁石部（A２８）と磁石部（A１７）と吸盤（A１５）を備え外装に磁気を通さない素材（A２５）で設けた開閉式の吸着部（A３５）を設ける
本発明の壁面への吸着固定収納も自在な磁気防止傘袋を使用する場合は
磁力により吸着が自在な素材でできた壁面に磁気防止傘袋（A１１）の
開閉式の吸着部（A３５）を開閉し、磁石部（A２８）を吸着することで
壁面に吸着固定することができる
また吸盤（A１５）により壁面に吸着固定することもできる
また開閉式の吸着部（A３５）を閉じることで
吸着部（A３５）に備えた磁石部（A２８）の磁気が漏れることがなく
また磁気防止傘袋（A２９）の中に収納した傘に磁石がある場合も
磁気防止傘袋（A２９）により磁気が漏れることがないため
磁気製品と一緒に鞄の中に入れることができる。
【図面の簡単な説明】
【００１８】
【図１】実施形態１の壁面への吸着固定収納も自在な磁気防止傘袋の斜視図
【図２】実施形態１の壁面への吸着固定収納も自在な磁気防止傘袋の分解斜視図
【符号の説明】
【００１９】
A１１  壁面への吸着固定収納も自在な磁気防止傘袋
A１２  ゴム
A１３  面ファスナー
A１４  磁石部
A１５  吸盤
A１６  指溝
A１７  磁石部の固着部
A１８  爪
A１９  回動穴
A２０  回動連結部
A２１  磁気を通さない素材
A２２  回動穴
A２３  回動連結部
A２４  磁石部の固着部
A２５  磁気を通さない素材
A２６  指掛け溝
A２７  軸棒
A２８  磁石部
A２９  磁気防止傘袋
A３０  ゴム取り付け部
A３１  含水率がわかる吸水素材
A３２  面ファスナー
A３３  固着面
A３４  傘挿入口
A３５  吸着部
【図１】
2019208647.tif 000003
【図２】
2019208647.tif 000004